(57)【要約】【課題】誤った向きで組み付けられる際に、又は、凹凸の位置ずれが生じた際に、ファミリーシールに生じる不必要な変形を抑制できる防水コネクタを提供する。【解決手段】ファミリーシール５０は、互いに対向するおもて面５０ａとうら面５０ｂを有し、第２ハウジングに対向するおもて面から突出して設けられ、ファミリーシール５０が正規の向きとは異なる誤った向きでランスハウジング１０に組み付けられるのを規制する規制体５３と、ファミリーシール５０が誤った向きで組み付けられると、規制体５３をファミリーシール５０の内部に逃がす第１逃げ５４，第２逃げ５５と、を備える。アウターハウジング６０は、ファミリーシールが正規の向きで組み付けられると、規制体５３が挿入される認識窓６３を備える。【選択図】図１
2015028894.tif 000002
【特許請求の範囲】
【請求項１】
複数のコンタクトを保持する第１ハウジングと、
前記第１ハウジングに組み付けられ、前記コンタクトに接続される複数の電線が挿入される複数の電線挿通孔を有し、かつ、各電線挿通孔の内周面が前記電線の外周面に密着することで前記電線との間をシールするファミリーシールと、
前記第１ハウジングと互いに嵌合される第２ハウジングと、
を備え、
前記ファミリーシールは、
互いに対向するおもて面とうら面を有し、
前記第２ハウジングに対向する前記うら面から突出して設けられ、前記ファミリーシールが正規の向きとは異なる誤った向きで前記第１ハウジングに組み付けられるのを規制する第１規制体と、
前記ファミリーシールが前記誤った向きで組み付けられると、前記第１規制体を前記ファミリーシールの内部に逃がす逃げ溝と、を備え、
前記第２ハウジングは、
前記ファミリーシールが正規の向きで組み付けられると、前記第１規制体が挿入される第１規制体受けを備える、
ことを特徴とする防水コネクタ。
【請求項２】
前記第１規制体受けは、前記第２ハウジングを貫通して設けられる、
請求項１に記載の防水コネクタ。
【請求項３】
前記逃げ溝は、
前記うら面から所定の深さまで至る、前記第１規制体の周囲に形成される第１逃げ溝と、
前記おもて面から前記規制体の根元まで形成され、前記第１規制体の横断面積よりも開口径の大きい第２逃げ溝と、からなる
請求項１又は２に記載の防水コネクタ。
【請求項４】
前記第１ハウジングは、
前記ファミリーシールが正規の向きに組み付けられると、前記第２逃げ溝の内部に所定の間隙を設けて挿入される第２規制体を備える、
請求項３に記載の防水コネクタ。
【請求項５】
前記逃げ溝は、
前記おもて面から前記第１規制体の内部の所定位置まで至る第３逃げ溝であり、
前記第１ハウジングは、
前記ファミリーシールが正規の向きに組み付けられると、前記第３逃げ溝の内部に実質的に隙間を設けることなく挿入される第３規制体を備える、
請求項１又は２に記載の防水コネクタ。
【請求項６】
複数のコンタクトを保持する第１ハウジングと、
前記第１ハウジングに組み付けられ、前記コンタクトに接続される複数の電線が挿入される複数の電線挿通孔を有し、かつ、各電線挿通孔の内周面が前記電線の外周面に密着することで前記電線との間をシールするファミリーシールと、
前記第１ハウジングと互いに嵌合され、前記ファミリーシールと対向するおもて面と、前記おもて面に対向するうら面とを備える第２ハウジングと、
を備え、
前記第２ハウジングは、
前記おもて面から突出して設けられ、前記ファミリーシールが正規の向きとは異なる誤った向きで前記第１ハウジングに組み付けられるのを規制する第４規制体と、
前記ファミリーシールが前記誤った向きで組み付けられると、前記第４規制体を前記ファミリーシールの内部に逃がす第４逃げ溝と、を備え、
前記ファミリーシールは、
前記正規の向きに組み付けられると、
前記第４規制体が挿入される第４規制体受けを備える、
ことを特徴とする防水コネクタ。
【請求項７】
前記第４逃げ溝は、
前記うら面から前記第４規制体の根元まで形成され、前記第４規制体の横断面積よりも開口径が大きい、
請求項６に記載の防水コネクタ。
【請求項８】
前記ファミリーシールが前記誤った向きで組み付けられると、前記第４規制体は、前記第２ハウジングから破断することで、前記第４逃げ溝に逃げる、
請求項６又は請求項７に記載の防水コネクタ。
【請求項９】
前記第１ハウジングは、
前記ファミリーシールに対向するおもて面から突出して設けられ、前記ファミリーシールが正規の向きとは異なる誤った向きで前記第１ハウジングに組み付けられるのを規制する第５規制体を備え、
前記第５規制体は、前記ファミリーシールが前記正規の向きに組み付けられると、前記第４規制体受けに挿入される、
請求項６〜請求項８のいずれか一項に記載の防水コネクタ。
【請求項１０】
前記第５規制体は、王冠型の先端を備える、
請求項９に記載の防水コネクタ。
【請求項１１】
複数のコンタクトを保持する第１ハウジングと、
前記第１ハウジングに組み付けられ、前記コンタクトに接続される複数の電線が挿入される複数の電線挿通孔を有し、かつ、各電線挿通孔の内周面が前記電線の外周面に密着することで前記電線との間をシールするファミリーシールと、
前記第１ハウジングと互いに嵌合される第２ハウジングと、
を備え、
前記ファミリーシールは、
互いに対向するおもて面とうら面を有し、
前記第２ハウジングに対向する前記うら面から突出して設けられ、前記ファミリーシールが正規の向きとは異なる誤った向きで前記第１ハウジングに組み付けられるのを規制する、先細りの第６規制体と、を備え、
前記第２ハウジングは、
前記ファミリーシールが正規の向きで組み付けられると、前記第１規制体が挿入される第６規制体受けを備える、
ことを特徴とする防水コネクタ。
【発明の詳細な説明】
【技術分野】
【０００１】
本発明は、ハウジング内への水の侵入を阻止する防水型の電気コネクタに関する。
【背景技術】
【０００２】
防水型の電気コネクタ（以下、防水コネクタという）は、外部から水分の侵入を阻止するために、コネクタハウジング内にファミリーシールと称される一括型のゴム栓を設けている。このファミリーシールは、コネクタハウジングにおいて複数の端子金具（以下、コンタクト）を保持するキャビティの各々に対応する位置に電線挿通孔を設けている。コンタクトがこの電線挿通孔を通ってキャビティに挿入されると、コンタクトに接続される電線が電線挿通孔の内周縁に密着することで防水性が確保される。
【０００３】
ファミリーシールが、正しい向きとは異なる誤った向きで組み付けられると防水性を確保することができない。そこで、ファミリーシールが誤った向きで組み付けられるのを防止する防水コネクタが提案されている（例えば、特許文献１）。なお、ここでいう向きを誤るとは、ファミリーシールの表（おもて）と裏（うら）の向きを誤る場合と、ファミリーシールの平面方向の向きを誤る場合と、その両方の場合と、がある。特許文献１の防水コネクタは、複数の電線挿通孔からなる電線挿通孔群の高さ方向の中心がファミリーシールの幅（高さ）方向の一方側に偏心している。この偏心により生じる、ファミリーシールの幅方向の他方側のデッドスペースに、このファミリーシールがハウジングに対して誤った向きで組み付けられるのを規制するリブ３５が設けられている。特許文献１の防水コネクタは、ファミリーシールが正しい向きの場合には、リブがハウジングに形成される凹部１４に挿入されることで、ファミリーシールをハウジングに組み付けることができる。
【先行技術文献】
【特許文献】
【０００４】
【特許文献１】特開２００９−１５８２６２公報（特に図２の符号１４，３５）
【発明の概要】
【発明が解決しようとする課題】
【０００５】
以上のように凹凸（特許文献１の凹部１４，リブ３５）の組み合わせをファミリーシールと組み付け相手のハウジングに設けても、以下説明するように、不具合が生ずることがある。
つまり、ファミリーシールは弾性の大きいゴムで作製されているために、誤った向きのままで組み付けられると、凸部がハウジングとの間に挟み込まれてしまい、凸部の周囲が不必要に変形してしまうことがある。また、凹凸の相対的な位置が大きくずれてしまうと、凸部が凹部の中に挿入することができずに、誤った向きで組み付けられるのと同様に挟み込みが生ずる。位置ずれが小さければ、凸部は凹部の中に一応は挿入されるが、凹部の途中までしか凸部が挿入されないために、凸部の周囲が不必要に変形してしまうことがある。以上のように、ファミリーシールに不必要な変形が生じると、所望するシール性能が得られないおそれがある。
本発明は、このような技術的課題に基づいてなされたもので、誤った向きで組み付けられる際に、又は、凹凸の位置ずれが生じた際に、ファミリーシールに生じる不必要な変形を抑制できる防水コネクタを提供することを目的とする。
また、本発明は、誤った向きで組み付けられるのを規制する規制体の位置ずれを防止しつつ、誤った向きで組み付けられるのを容易に認識できる防水コネクタを提供することを目的とする。
【課題を解決するための手段】
【０００６】
かかる目的のもとなされた本発明（第１発明）の防水コネクタは、複数のコンタクトを保持する第１ハウジングと、第１ハウジングに組み付けられ、コンタクトに接続される複数の電線が挿入される複数の電線挿通孔を有し、かつ、各電線挿通孔の内周面が前記電線の外周面に密着することで前記電線との間をシールするファミリーシールと、第１ハウジングと互いに嵌合される第２ハウジングと、を備える。
第１発明のファミリーシールは、互いに対向するおもて面とうら面を有し、第２ハウジングに対向するうら面から突出して設けられ、ファミリーシールが正規の向きとは異なる誤った向きで第１ハウジングに組み付けられるのを規制する第１規制体と、ファミリーシールが誤った向きで組み付けられると、第１規制体をファミリーシールの内部に逃がす逃げ溝と、を備える。
第１発明の第２ハウジングは、ファミリーシールが正規の向きで組み付けられると、第１規制体が挿入される第１規制体受けを備える。
【０００７】
第１発明の防水コネクタによると、第１規制体が逃げ溝に逃げることができる。したがって、第１発明の防水コネクタは、ファミリーシールが誤った向きで組み付けられるか、または、第１規制体に位置ずれが生じたとしても、ファミリーシールに生じる不必要な変形を抑制できる。
【０００８】
第１発明において、第１規制体受けは、第２ハウジングを貫通して設けられることが好ましい。そうすると、第１規制体が第１規制体受けに挿入されていることを、第２ハウジングを貫通する第１規制体受けを通じて視認することによって、ファミリーシールが正しい向きで組み付けられていることを確認できる。
【０００９】
第１発明において、逃げ溝は、ファミリーシールのうら面から所定の深さまで至る、第１規制体の周囲に形成される第１逃げ溝と、ファミリーシールのおもて面から規制体の根元まで形成され、第１規制体の横断面積よりも開口径の大きい第２逃げ溝と、からなることが好ましい。
第１逃げ溝は、主にファミリーシールの平面方向に第１規制体が変位して逃げるのに有効であり、また、第２逃げ溝は、主にファミリーシールの厚さ方向に第１規制体が変位して逃げるのに有効である。したがって、第１逃げ溝と第２逃げ溝の両者を設けることにより、第１規制体を任意の向きに逃がすことができる。
【００１０】
第１発明において、第１ハウジングは、ファミリーシールが正規の向きに組み付けられると、第２逃げ溝の内部に所定の間隙を設けて挿入される第２規制体を備える、ことが好ましい。
通常、ハウジングは樹脂で形成されており、ゴム製のファミリーシールに比べて剛性が大きいために、第１ハウジングに第２規制体を設け、第２逃げ溝に挿入すれば、第１規制体の位置ずれを抑制することができる。第２規制体は、所定の間隙を設けて第２逃げ溝に挿入されるので、仮に第１規制体が位置ずれしたとしても、第１規制体がファミリーシールの厚さ方向に逃げる余地が残されているので、第１規制体の位置ずれに対応できる。
【００１１】
第１発明において、逃げ溝は、おもて面から第１規制体の内部の所定位置まで至る第３逃げ溝とすることができる。この場合には、第１ハウジングは、ファミリーシールが正規の向きに組み付けられると、第３逃げ溝の内部に実質的に隙間を設けることなく挿入される第３規制体を備えることとする。
この形態によると、第１ハウジングの第３規制体がファミリーシールの第１規制体の内部に至る第３逃げ溝に挿入されることで、ファミリーシールが正しい向きで組み付けられると、第１規制体の位置ずれを抑制することができる。
【００１２】
防水コネクタは、規制体（凸部）を、ファミリーシールに設けるのに限らず、ハウジングに設けることもできるが、以下説明するように、本願発明（第２発明）も規制体（凸部）をハウジングに設けることができる。
第２発明の防水コネクタは、複数のコンタクトを保持する第１ハウジングと、第１ハウジングに組み付けられ、コンタクトに接続される複数の電線が挿入される複数の電線挿通孔を有し、かつ、各電線挿通孔の内周面が電線の外周面に密着することで電線との間をシールするファミリーシールと、
第１ハウジングと互いに嵌合され、ファミリーシールと対向するおもて面と、おもて面に対向するうら面とを備える第２ハウジングと、を備える。
第２発明による第２ハウジングは、おもて面から突出して設けられ、ファミリーシールが正規の向きとは異なる誤った向きで第１ハウジングに組み付けられるのを規制する第４規制体と、ファミリーシールが誤った向きで組み付けられると、第４規制体をファミリーシールの内部に逃がす第４逃げ溝と、を備える。
また、第２発明によるファミリーシールは、正規の向きに組み付けられると、第４規制体が挿入される第４規制体受けを備える。
【００１３】
第２発明によると、誤った向きで組み付けられるのを規制する規制体を、ファミリーシールに比べて剛性の高いハウジングに設けるので、位置ずれを起し難い。また、ファミリーシールが誤った向きで組み付けられても、剛性の高い規制体がファミリーシールに突き当たるので、認識しやすい。
【００１４】
第２発明において、第４逃げ溝は、うら面から第４規制体の根元まで形成され、第４規制体の横断面積よりも開口径を大きくすることが好ましい。そうすれば、第４規制体が第２ハウジングの厚さ方向に容易に変位することができる。
【００１５】
第２発明において、ファミリーシールが誤った向きで組み付けられると、第４規制体は、第２ハウジングから破断することで、第４逃げ溝に逃げることができる。
通常、電気コネクタのハウジングは、樹脂で形成されており、塑性を示す。そこで、そのハウジングの塑性を利用して、荷重が加わることにより第４規制体を第２ハウジングから破断させ、かつ、破断した第４規制体を第４逃げ溝に回収することとした。第４逃げ溝は、第２ハウジングのうら面まで至っているので、破断し、第４逃げ溝に回収された第４規制体は、第２ハウジングの外部に取り出すことができる。
【００１６】
第２発明において、第１ハウジングは、第５規制体を備えることができる。
第５規制体は、ファミリーシールに対向するおもて面から突出して設けられ、ファミリーシールが正規の向きとは異なる誤った向きで第１ハウジングに組み付けられるのを規制するものである。また、第５規制体は、ファミリーシールが正規の向きに組み付けられると、第４規制体受けに挿入される。
第５規制体は、その先端を王冠型に形成することが好ましい。
【００１７】
以上説明した第１発明及び第２発明は、“規制体”に逃げ溝を付随させているが、逃げ溝を設けることなく、本発明は、その課題を解決する第３発明に係る防水コネクタを提供することができる。
第３発明の防水コネクタは、複数のコンタクトを保持する第１ハウジングと、第１ハウジングに組み付けられ、コンタクトに接続される複数の電線が挿入される複数の電線挿通孔を有し、かつ、各電線挿通孔の内周面が前記電線の外周面に密着することで前記電線との間をシールするファミリーシールと、第１ハウジングと互いに嵌合される第２ハウジングと、を備える。
第３発明のファミリーシールは、互いに対向するおもて面とうら面を有し、第２ハウジングに対向するおもて面から突出して設けられ、ファミリーシールが正規の向きとは異なる誤った向きで第１ハウジングに組み付けられるのを規制する、先細りの第６規制体と、を備える。
また、第３発明の第２ハウジングは、ファミリーシールが正規の向きで組み付けられると、第６規制体が挿入される第６規制体受けを備える。
【００１８】
第３発明の防水コネクタは、第６規制体が先細りの形状をしており、根元が太いために、位置ずれを起し難いのに加えて、誤った向きで第１ハウジングに組み付けられようとしても、反発力が大きいので、誤った向きであることを認識しやすい。
【発明の効果】
【００１９】
本発明によれば、誤った向きで組み付けられる際に、又は、規制体の位置ずれが生じる際に、ファミリーシールに生じる不必要な変形を抑制できる防水コネクタを提供できる。
【図面の簡単な説明】
【００２０】
【図１】本発明の第１実施形態に係る防水コネクタの分解斜視図である。
【図２】図１に示す防水コネクタを示し、（ａ）は断面図、（ｂ）は（ａ）の部分拡大図、（ｃ）はファミリーシールの断面図である。
【図３】図１に示す防水コネクタにおいて、ファミリーシールが誤組付けされた時の挙動を示す図であり、（ａ）は防水コネクタの断面図、（ｂ）は（ａ）の部分拡大図である。
【図４】（ａ）は第１実施形態の変更例に係る防水コネクタの断面図であり、（ｂ）は（ａ）の部分拡大図、（ｃ）は比較例を示す（ｂ）に対応する図である。
【図５】第１実施形態において、ファミリーシールの規制体が位置ずれを起こした時の挙動を示す図であり、（ａ）及び（ｂ）はアウターハウジングの装着過程を示し、（ｃ）及び（ｄ）はアウターハウジングの装着が完了した状態を示す。
【図６】第１実施形態において、ファミリーシールが誤組付けされた時の挙動を示す図であり、（ａ）は防水コネクタの断面図、（ｂ）は（ａ）の部分拡大図である。
【図７】本発明の第２実施形態に係る防水コネクタを示し、（ａ）は縦断面図、（ｂ）は（ａ）の部分拡大図、（ｃ）はファミリーシールの横断面図である。
【図８】第２実施形態において、ファミリーシールが誤組付けされた時の挙動を示す図であり、（ａ）はファミリーシールの装着時、（ｂ）はアウターハウジングの装着初期、及び（ｃ）はアウターハウジングの装着完了時を示している。
【図９】本発明の第３実施形態に係る防水コネクタを示し、（ａ）は縦断面図、（ｂ）は（ａ）の部分拡大図、（ｃ）はアウターハウジングの縦断面図である。
【図１０】第３実施形態において、ファミリーシールが誤組付けされた時の挙動を示す図であり、（ａ）はアウターハウジングの装着初期、（ｂ）はアウターハウジングの装着完了時を示している。
【図１１】本発明の第４実施形態に係る防水コネクタを示し、（ａ）は縦断面図、（ｂ）は（ａ）の部分拡大図、（ｃ）はアウターハウジングの縦断面図である。
【図１２】第４実施形態において、ファミリーシールが誤組付けされた時の挙動を示す図であり、（ａ）はファミリーシールの組み付け時、（ｂ）はアウターハウジングの装着初期、（ｃ）はアウターハウジングの装着完了時を示している。
【図１３】第４実施形態の変更例を示し、（ａ）は縦断面図、（ｂ）は（ａ）の部分拡大図、（ｃ）はファミリーシールの横断面図、（ｄ）はランスハウジングの縦断面図である。
【図１４】本発明の第５実施形態に係る防水コネクタを示し、（ａ）は縦断面図、（ｂ）は（ａ）の部分拡大図、（ｃ）はファミリーシールの斜視図である。
【発明を実施するための形態】
【００２１】
以下、添付図面を参照しながら、本発明に係る防水コネクタの実施形態を詳細に説明する。
以下では、５つの実施形態に区分して説明するが、第１，２，５実施形態は、ファミリーシールに誤組付けを認識するための突起（検知体）が設けられており、第３，４実施形態は、ハウジングの側に検知体が設けられている。
【００２２】
〔第１実施形態〕
本実施の形態による防水コネクタ１は、図１及び図２に示すように、複数の雌型のコンタクト（図示せず）が収容されるランスハウジング１０（第１ハウジング）と、フロントキャビティ２０と、リテーナ３０と、シールリング４０と、ファミリーシール５０と、アウターハウジング６０（第２ハウジング）と、１対のスライダ７０とを備えている。
防水コネクタ１は、ファミリーシール５０が誤った向きで組み付けられるのを検知することを前提としつつ、仮に誤った向きで組み付けられたとしても、ファミリーシール５０による防水性に与える影響を抑制できる機能を備えている。なお、以下では、ファミリーシール５０が正しい向きで組み付けられることを正組付け、誤った向きで組み付けられることを誤組付けということがある。
【００２３】
以下、防水コネクタ１の構成を、図１及び図２を参照して、要素ごとに説明する。
＜ランスハウジング１０＞
ランスハウジング１０は、前後方向に貫通する複数のコンタクト収容キャビティ１１を備えている。なお、本実施形態において、図１におけるｘ軸方向、ｙ軸方向、及び、ｚ軸方向を、各々、長さ方向、幅方向、及び、前後方向と定義して以下説明する。前後方向については、相手コネクタと嵌合される側（ｚ軸の矢印が示す側）を前と定義する。
各コンタクト収容キャビティ１１には、コンタクトが図１における矢印Ａで示す向きに挿入される。そして、各コンタクトは、ランスハウジング１０に設けられるハウジングランス１４によって一次的に係止される。また、ランスハウジング１０の後側には、ファミリーシール５０を収容するシール収容空間１２が設けられている。ランスハウジング１０の長さ方向の両端には、アウターハウジング６０をランスハウジング１０に係止するための１対のラッチアーム１３が設けられている。また、ランスハウジング１０には、リテーナ３０が組み付けられるリテーナ収容凹部１５が設けられている。リテーナ収容凹部１５は、シール収容空間１２よりも前方に設けられる。
【００２４】
ランスハウジング１０は、図４に示すように、ファミリーシール５０が正組み付けされると、後述するファミリーシール５０の第２逃げ５５に挿入される規制体１６（第２規制体）を備えることができる。規制体１６は、ランスハウジング１０の後面から所定の高さだけ突出する円柱状の突起であり、ランスハウジング１０と一体的に形成される。
ファミリーシール５０が正組付けされると、規制体１６は、ファミリーシール５０の第２逃げ５５に挿入されることで、ファミリーシール５０の位置ずれを抑制することができる。また、ファミリーシール５０が誤組付けされると、規制体１６はファミリーシール５０の前面に突き当たることで、誤組付けを検知できる。この点について詳しくは、後述する。
【００２５】
ランスハウジング１０は、絶縁性の樹脂を射出成形することにより一体的に形成される。以下説明するフロントキャビティ２０、リテーナ３０、アウターハウジング６０も同様に、各々、絶縁性の樹脂を射出成形することにより一体的に形成される。
【００２６】
＜フロントキャビティ２０＞
フロントキャビティ２０は、ランスハウジング１０の前側に組み付けられるよう構成されている。フロントキャビティ２０は、ランスハウジング１０の前面を覆うとともに、相手側の電気コネクタのコンタクトが挿入される複数の相手コンタクト挿通孔２１が前後方向に貫通して形成されている。
【００２７】
＜リテーナ３０＞
リテーナ３０は、ランスハウジング１０に形成されたリテーナ収容凹部１５に組み付けられるよう構成され、図１に示すように、略板状に形成されている。リテーナ３０は、ランスハウジング１０に設けられたコンタクト収容キャビティ１１に対応するように形成された複数のコンタクト挿通孔３１を有している。そして、リテーナ３０は、コンタクトがコンタクト挿通孔３１を貫通してコンタクト収容キャビティ１１内に挿入可能となる仮係止位置でランスハウジング１０に仮保持され、仮保持の位置よりもさらに押し込まれる本係止位置においてランスハウジング１０に固定される。リテーナ３０が本係止位置でランスハウジング１０に固定されると、コンタクトがリテーナ３０により二次的に係止される。
【００２８】
＜シールリング４０＞
シールリング４０は、ランスハウジング１０の外側に密着することで、相手側コネクタと防水コネクタ１が嵌合したときに、相手側コネクタのハウジングとランスハウジング１０との間をシールし、嵌合部からランスハウジング１０の内部に水が浸入するのを阻止する機能を有する。
シールリング４０は、絶縁性のゴムを射出成形することによって形成される。
【００２９】
＜ファミリーシール５０＞
ファミリーシール５０は、ランスハウジング１０に保持されるコンタクトに接続される電線を伝ってランスハウジング１０の内部に水が浸入するのを阻止するものである。
ファミリーシール５０は、略板状に形成されたゴム製の部材であり、ランスハウジング１０の後側に形成されたシール収容空間１２内に収容される。そして、ファミリーシール５０は、ランスハウジング１０のシール収容空間１２を形成する外壁部分の内周面に密着するようになっている。ファミリーシール５０には、ランスハウジング１０に設けられたコンタクト収容キャビティ１１に対応する位置に断面円形状の複数の挿通孔５１が形成されている。各挿通孔５１は、前後方向に貫通している。コンタクト収容キャビティ１１内に収容されたコンタクトに接続された電線（図示せず）は、挿通孔５１を貫通してアウターハウジング６０よりも後方に向けて導出される。各挿通孔５１の内周面には、複数の環状シール突起５２が形成されており（図２（ｃ））、これら環状シール突起５２は、図示しない電線の外周面に密着し、挿通孔５１からランスハウジング１０の内部への水の浸入を阻止する。
なお、防水コネクタ１に組み付けられたファミリーシール５０において、ランスハウジング１０に対向する側の面をおもて面５０ａ、アウターハウジング６０に対向する側の面をうら面５０ｂと定義する。ただし、この定義はファミリーシール５０が正規の向きに組み付けられていることを前提とする。
【００３０】
ファミリーシール５０は、誤組付けを検知するための規制体５３（第１規制体）を備えている。
規制体５３は、ファミリーシール５０のうら面５０ｂから所定の高さだけ突出して、ファミリーシール５０と一体的に形成されている。規制体５３は、挿通孔５１が形成されていない周辺の領域に設けられている。
【００３１】
ファミリーシール５０は、規制体５３に付随して、図２（ｂ），（ｃ）に示すように、第１逃げ５４と第２逃げ５５（逃げ溝）を備えている。
第１逃げ５４（第１逃げ溝）は、軸方向の圧縮により生ずる規制体５３の変形を、主にファミリーシール５０の平面方向に逃がす機能を備えている。第１逃げ５４は、規制体５３の周囲に連なり、かつ、うら面５０ｂから所定の深さだけ窪んで形成される環状の空隙からなる。
【００３２】
第２逃げ５５（第２逃げ溝）は、規制体５３に軸方向の圧縮により生ずる変形を、主にファミリーシール５０の厚さ方向に逃がす機能を備えている。第２逃げ５５は、ファミリーシール５０のおもて面５０ａから規制体５３に達する深さだけ窪む円柱状の空隙からなる。第２逃げ５５は、規制体５３と同軸状に形成されており、その開口径φ５５が規制体５３の径φ５３よりも微少量だけ大きく設定されている。なお、本実施形態では、第２逃げ５５の開口径φ５５は、第１逃げ５４の外径φ５４と同等とされている。
第２逃げ５５は、図４に示すように、ランスハウジング１０が規制体１６を備える場合であって、ファミリーシール５０が正組み付けされるときに、ランスハウジング１０の規制体１６の挿入を受け入れる機能も有する。
【００３３】
第１逃げ５４と第２逃げ５５を形成することで、規制体５３は、ブリッジ５６を介してファミリーシール５０と接続されている。ブリッジ５６は、規制体５３の根元５３ａの周囲にリング状に設けられており、前後方向の寸法である厚さは薄い。したがって、規制体５３は、軸線方向に負荷を受けると、ブリッジ５６が弾性変形することで、負荷を受けた向きに容易に変位することができる。
【００３４】
＜アウターハウジング６０＞
アウターハウジング６０は、防水コネクタ１を組み付けた状態で、ランスハウジング１０、フロントキャビティ２０等を覆うように位置し、ランスハウジング１０に設けられたラッチアーム１３によってランスハウジング１０に係止される。これにより、ファミリーシール５０をランスハウジング１０に対して前後方向に押え付ける。このアウターハウジング６０には、ファミリーシール５０に設けられた挿通孔５１に対応する位置に複数の挿通孔６１が形成された挿通プレート６２が設けられている。各挿通孔６１は、前後方向に貫通している。各コンタクトに接続された電線は、ファミリーシール５０の各挿通孔５１及びアウターハウジング６０の各挿通孔６１を通って後方へ導出される。
【００３５】
アウターハウジング６０は、挿通プレート６２に認識窓６３（第１規制体受け）を備えている。認識窓６３は、正組付けされたファミリーシール５０の規制体５３が挿入されることで、アウターハウジング６０の後方側から規制体５３を視認するために設けられている。認識窓６３は、正組付けされたファミリーシール５０の規制体５３に対応する位置に、挿通プレート６２の表裏を貫通して形成されている。
アウターハウジング６０の幅方向の両端部には、長さ方向に延びる１対のスライダ収容溝６４が形成されている。スライダ収容溝６４には、以下説明するスライダ７０が挿入される。
【００３６】
＜スライダ７０＞
スライダ７０は、図示を省略するレバーとともに倍力機構として作用するものであり、レバーを回動するとスライダ７０が長さ方向に移動し、これにより、相手側コネクタが嵌合する向きに移動し、また、防水コネクタ１から離間する向きに移動するようになっている。
スライダ７０は、図１に示すように略板状に形成され、アウターハウジング６０のスライダ収容溝６４内にスライド動作可能に収容されている。各スライダ７０の内側の面には、相手側コネクタに設けられたカム突起の引き込み及び押し出しを行うカム溝７１が２つずつ設けられている。各スライダ７０の後端縁には、レバーのピニオンと噛合うラック部７２が形成されている。
【００３７】
防水コネクタ１は、以上説明した構成要素の他に、図示を省略するが、アウターハウジング６０の各挿通孔６１を介して後方へ導出された電線の束を保護するワイヤカバー、ワイヤカバーに対して回動可能に支持されるレバーを備えている。また、防水コネクタ１は、レバーの動作に基づいて、相手側コネクタと嵌合される。
【００３８】
＜誤組付け及び位置ずれ時の挙動＞
ファミリーシール５０が正組付けされた防水コネクタ１は、図２（ｂ）に示すように、アウターハウジング６０の認識窓６３を通じて視認できる。ファミリーシール５０の規制体５３の突出する寸法（以下、長さ）を大きくするほど、認識窓６３を通じて規制体５３を視認し易くなるので、正組付けと誤組付けを識別する精度が上がる。その反面、規制体５３が長くなれば、規制体５３は認識窓６３に対して位置ずれが生じ易くなる。規制体５３を含めファミリーシール５０が軟質なゴムで形成されているためである。しかし、本実施形態の防水コネクタ１は、第１逃げ５４及び第２逃げ５５を設けることで、規制体５３の位置ずれの問題に対応することができる。第１逃げ５４及び第２逃げ５５は、ファミリーシール５０が誤組付けされたときの対応にも寄与する。以下、誤組付け及び位置ずれによるファミリーシール５０の挙動について説明する。
【００３９】
＜第１のケース：誤組付けによる規制体の変位＞
はじめに、図３を参照して、ファミリーシール５０が誤組付けされたときについて説明する。ここで、誤組付けとは、ファミリーシール５０とアウターハウジング６０が、規制体５３と認識窓６３が対応しないように組み付けられることを意味している。したがって、ファミリーシール５０は正しい向きに組み付けられているが、アウターハウジング６０が誤った向きに組み付けられる場合に限らず、この逆も誤組付けに含まれる。
誤組付けにより、図３に示すように、ファミリーシール５０の規制体５３は、先端がアウターハウジング６０の挿通プレート６２の前面に突き当たり、前方に向けて負荷を受ける。規制体５３の周囲には第１逃げ５４が設けられ、また、規制体５３の前方には第２逃げ５５が設けられているために、規制体５３は、負荷を受けることで前方に向けて変位することができる。このとき、規制体５３は、それ自身が軸方向に縮むことができるが、それよりもブリッジ５６が弾性変形することが主となって前方に向けて変位する。規制体５３は、先端を含む全体が、ファミリーシール５０の厚さの範囲内に収まるように変形及び変位する。なお、図３（ｂ）の白抜き矢印は、負荷及び変形・変位を示している。以下も同様である。
【００４０】
規制体５３は、ブリッジ５６が弾性変形することで、第１逃げ５４及び第２逃げ５５の中に退避するので、規制体５３の周囲のファミリーシール５０には弾性変形の影響は及ばないか、及んだとしてもわずかである。したがって、ファミリーシール５０は、所期の通りの防水性能を発揮することができる。
【００４１】
図３は、誤組付けの例を示しているが、規制体５３に位置ずれが生じて、規制体５３がアウターハウジング６０の認識窓６３の中に挿入されずに、規制体５３の先端が挿通プレート６２の前面に突き当たる場合もある。この場合にも、以上で説明した誤組付けの場合と同様に、ファミリーシール５０は、所期の通りの防水性能を発揮することができる。
【００４２】
＜第２のケース：位置ずれによる規制体の変位（規制体付きランスハウジング）＞
次に、規制体５３に位置ずれが生じている場合について、図５を参照して説明する。なお図５は、規制体１６が設けられてランスハウジング１０を用いており、かつ、ファミリーシール５０が正組付けされていることを前提としている。
アウターハウジング６０を装着し始める過程で、位置ずれが生じているために規制体５３が認識窓６３に挿入されずに、規制体５３の先端が挿通プレート６２の前面に突き当たることがある。アウターハウジング６０とファミリーシール５０の間に隙間があるので、図５（ａ），（ｂ）に示すように、規制体５３は軸線方向に対して倒れる。規制体５３の周囲に第１逃げ５４が設けられている一方、規制体５３は肉厚の薄いブリッジ５６で根元５３ａが支持されているだけなので、規制体５３は容易に倒れる。このとき、規制体５３は、第１逃げ５４に向けて変位している。
【００４３】
アウターハウジング６０を装着完了の位置まで押し込む。そうすると、アウターハウジング６０とファミリーシール５０の間に隙間がなくなるので、図５（ｃ），（ｄ）に示すように、規制体５３は、先端が認識窓６３の入口付近に係止され、負荷を受ける。しかし、ブリッジ５６が弾性変形することで、第１逃げ５４及び第２逃げ５５の中に退避するので、規制体５３の周囲のファミリーシール５０には弾性変形の影響は及ばないか、及んだとしてもわずかである。したがって、ファミリーシール５０は、所期の通りの防水性能を発揮することができる。なお、第２逃げ５５は縮むために、規制体１６の周囲の隙間がなくなることもある。
【００４４】
図５に示す場合でも、視認性は劣るものの、認識窓６３を通じて規制体５３の先端を認識することができる。
【００４５】
＜第３のケース：誤組付けによる規制体の変位（規制体付きランスハウジング）＞
次に、図６を参照して、規制体１６が設けられたランスハウジング１０を用いる場合に、誤組付けされたときについて説明する。なお、ファミリーシール５０は、正組付けに対して、前後方向が逆であるとともに、幅方向にも逆に誤組付けされている。また、図６は、アウターハウジング６０の装着が完了している。
【００４６】
ファミリーシール５０の規制体５３は、図６（ａ）に示すように、ランスハウジング１０の後面に突き当たることで、後方に変位する。規制体５３の根元５３ａは後方に配置される第２逃げ５５に逃げる。したがって、第１のケースと同様に、ファミリーシール５０は、所期の通りの防水性能を発揮することができる。
また、アウターハウジング６０の認識窓６３を覗いても規制体５３が視えないので、ファミリーシール５０が誤組付けされているであろうことを認識できる。
一方で、図６（ｂ）に示すように、ランスハウジング１０の規制体１６は、ファミリーシール５０を表面から突き刺さって内部に進入することができる。その結果、ファミリーシール５０は、規制体１６の周囲において、平面方向に変位するだけなので、当該領域においても防水性能を発揮する場合もある。
【００４７】
ここでは、アウターハウジング６０の装着が完了していることを前提として、ファミリーシール５０が誤組付けされていることを確認できることを述べたが、以下説明するように、これ以前にもファミリーシール５０の誤組付けを認識することができる。
ファミリーシール５０をランスハウジング１０に装着する際に、ランスハウジング１０の規制体１６がファミリーシール５０の前面に突き当たる。したがって、作業者は触覚により誤組付けを認識できるのに加えて、ファミリーシール５０をシール収容空間１２の奥まで押し込むと、規制体１６が前面に突き当たることでその裏側が盛り上がるので視覚的にも認識できる。
仮に、ファミリーシール５０を装着する過程で誤組付けを認識できなかったとしても、アウターハウジング６０の装着時には、ファミリーシール５０の規制体５３がランスハウジング１０に突き当たるのに加えて、ランスハウジング１０の規制体１６がファミリーシール５０に突き当たる。したがって、アウターハウジング６０を介して受ける反発力は、例えば規制体５３だけによる反発力に比べて大きくなるので、触覚により誤組付けを認識しやすい。
【００４８】
以上説明したように、第１実施形態の防水コネクタ１によると、ファミリーシール５０に規制体５３を設ける一方、アウターハウジング６０に設けた認識窓６３から規制体５３を視認できるようにしたので、ファミリーシール５０の誤組付けを高い精度で認識できる。
仮に、誤組付けを認識できなかった、あるいは、規制体５３に位置ずれが生じていたとしても、第１逃げ５４及び第２逃げ５５を設けることで、規制体５３及びブリッジ５６の変形及び変位によりファミリーシール５０のシール性の低下を最低限に抑えることができる。ここで、規制体５３を長くすれば位置ずれを助長することになるが、第１実施形態は、規制体５３の位置ずれを許容できるから、規制体５３を長くできることになる。規制体５３が長ければ、認識窓６３を介する規制体５３の視認性が向上するので、ファミリーシール５０の誤組付けを認識する精度がより高くなる。
【００４９】
また、ファミリーシール５０の第２逃げ５５に挿入される規制体１６をランスハウジング１０に設けると、規制体１６が規制体５３の位置ずれを抑制する。これに加えて、規制体１６は、規制体５３とともに触覚を通じて作業者にファミリーシール５０が誤組み付けされることを認識させやすくなる。
【００５０】
正組み付けされる場合に、図４（ａ）に示すように第２逃げ５５の内部に規制体１６が隙間なく挿入されてしまうと、位置ずれが生じたときに、規制体５３は逃げ場を失ってしまい、第２逃げ５５が有効に機能しなくなる。したがって、規制体１６は、正組み付けされる場合に、図４（ｂ）に示すように、規制体５３の逃げ場となる隙間が確保されることが好ましい。
【００５１】
〔第２実施形態〕
次に、本発明の第２実施形態を、図７及び図８を参照して説明する。
第２実施形態による防水コネクタ１０１は、ファミリーシール１５０に規制体１５３を設けるところは第１実施形態と同じであるが、規制体１５３の位置ずれを防ぐ構成をランスハウジング１１０が備えている点で第１実施形態と相違する。以下、第１実施形態との相違点を中心に防水コネクタ１０１を説明する。なお、第１実施形態と同様の構成部分には、第１実施形態と同じ符号を付している。
【００５２】
図７に示すように、防水コネクタ１０１は、ファミリーシール１５０に規制体１５３が形成されている。
規制体１５３は、ファミリーシール１５０のうら面５０ｂから所定の高さだけ突出し、ファミリーシール１５０と一体的に形成されている。
ファミリーシール１５０は、規制体１５３の内部まで達する規制体受容キャビティ１５５（第３逃げ溝）が形成されている。規制体受容キャビティ１５５は、一端が規制体１５３の先端で閉塞され、他端はファミリーシール１５０のおもて面５０ａに開口している。
【００５３】
ランスハウジング１１０は、規制体１１６（第３規制体）を備えている。規制体１１６は、ランスハウジング１１０の後面から所定の高さだけ突出する円柱状の突起であり、ランスハウジング１１０と一体的に形成されている。
ファミリーシール１５０が正組み付けされると、規制体１１６は規制体受容キャビティ１５５の中で径方向に隙間なく挿入される。規制体１１６は規制体１５３に比べて剛性が大きいので、ファミリーシール１５０の規制体１５３は規制体１１６により位置決めされることになる。したがって、第２実施形態の規制体１５３は、位置ずれが規制される。
【００５４】
＜誤組付けの認識＞
防水コネクタ１０１は、以下説明するように、誤組付けを３段階で認識することができる。
＜ファミリーシール１５０の装着時＞
図８（ａ）に示すように、ランスハウジング１１０にファミリーシール１５０が誤組付けされそうになると、ランスハウジング１１０の規制体１１６がファミリーシール１５０に突き当たる。したがって、ファミリーシール１５０をランスハウジング１１０に対して押し込もうとしても、当該部分が突き出したままであるから、誤組付けであることを容易に認識できる。
【００５５】
＜アウターハウジング６０の装着初期＞
仮に図８（ａ）の状態のままでアウターハウジング６０を装着させようとしても、図８（ｂ）に示すように、ランスハウジング１１０の規制体１１６がファミリーシール１５０を支持していることになる。したがって、アウターハウジング６０を押し込もうとしても、ファミリーシール１５０から受ける反発力が大きいために、作業者は誤組付けに気付きやすい。
【００５６】
＜アウターハウジング６０の装着完了時＞
反発力を無視してアウターハウジング６０を装着完了の位置まで押し込んだものとする。
そうすると、図８（ｃ）に示すように、ランスハウジング１１０の規制体１１６がファミリーシール１５０を突き破り、規制体１１６はアウターハウジング６０の認識窓６３に進入する。したがって、防水コネクタ１０１を組み付ける作業者は、認識窓６３を介して規制体１１６を視認することで、誤組付けを認識することができる。なお、正組付けの場合には、認識窓６３から視えるのは、ファミリーシール１５０の規制体１５３であるが、ランスハウジング１１０とファミリーシール１５０を異なる色で形成しておけば、両者を容易に区別することができる。
一方、ファミリーシール１５０の規制体１５３は、潰れて規制体受容キャビティ１５５の中に入り込む。
【００５７】
以上説明したように、第２実施形態の防水コネクタ１０１によると、誤組付けを、ファミリーシール１５０の装着時、アウターハウジング６０の装着初期及び装着完了時の、３段階で認識する機会があるので、防水コネクタ１０１は誤組付けの検知精度が高い。
また、防水コネクタ１０１は、ファミリーシール１５０の規制体１５３の位置ずれが生ずるのを規制するので、位置ずれにより規制体１５３が認識窓６３に挿入されないという事態が生じにくい。
【００５８】
〔第３実施形態〕
次に、本発明の第３実施形態を、図９及び図１０を参照して説明する。
第３実施形態による防水コネクタ２０１は、アウターハウジング２６０に規制体２６３（第４規制体）が設けられるとともに、ファミリーシール２５０に規制体２６３を受容する規制体受容キャビティ２５５（第４規制体受け）が設けられている。以下、第１実施形態との相違点を中心に防水コネクタ２０１を説明する。なお、第１実施形態と同様の構成部分には、第１実施形態と同じ符号を付している。以下の実施形態も同様である。
【００５９】
図９に示すように、アウターハウジング２６０は、そのおもて面６０ａから所定の高さだけ突出する規制体２６３を備えている。規制体２６３は、ブリッジ２６６を介して根元２６３ａがアウターハウジング２６０と一体的に形成されている。アウターハウジング２６０は、ファミリーシール２５０よりも剛性の高い樹脂で成形されているので、規制体２６３もまた、ファミリーシールに一体的に形成される規制体に比べて剛性が高い。
【００６０】
アウターハウジング２６０は、規制体２６３の根元２６３ａよりも後方側に、認識窓２６５（第４逃げ溝）を備えている。認識窓２６５は、ファミリーシール２５０が誤組付けされたときに、ファミリーシール２５０を視認する機能を与える。ただし、認識窓２６５は、アウターハウジング２６０のうら面６０ｂ側は開口しているが、おもて面６０ａ側は規制体２６３の根元２６３ａにより閉塞されている。
【００６１】
ファミリーシール２５０は、正組み付けされると、アウターハウジング２６０の規制体２６３が挿入される規制体受容キャビティ２５５を備えている。規制体受容キャビティ２５５は、ファミリーシール２５０のうら面５０ｂ側が開口しているが、おもて面５０ａ側は閉塞されている。
【００６２】
＜正組付けの認識＞
防水コネクタ２０１は、ファミリーシール２５０が正組付けされていれば、認識窓２６５は空隙のままであるので、作業者は内部が空の認識窓２６５を視ることにより、正組付けを認識できる。
【００６３】
＜誤組付けの認識＞
防水コネクタ２０１は、以下説明するように、アウターハウジング２６０を装着する過程において、誤組付けを２段階で認識することができる。なお、以下の説明は、気付かずにファミリーシール２５０が誤組付けされていることを前提としている。
【００６４】
図１０（ａ）に示すように、ファミリーシール２５０が誤組付けされていると、アウターハウジング２６０の規制体２６３に対応する位置には規制体受容キャビティ２５５が存在しない。したがって、アウターハウジング２６０を装着しようとすると、規制体２６３がファミリーシール２５０のおもて面５０ａに突き当たるので、作業者は反発力によりファミリーシール２５０が誤組付けされているであろうことを認識できる。
【００６５】
仮に誤組付けに気付かないままで装着完了の位置までアウターハウジング２６０の押し込みを続けるものとする。そうすると、規制体２６３をアウターハウジング２６０に支持している薄肉のブリッジ２６６は容易に破断してしまい、図１０（ｂ）に示すように、規制体２６３はアウターハウジング２６０から離脱する。したがって、認識窓２６５は、挿通プレート６２の表裏を貫通するので、作業者は認識窓２６５を通じてファミリーシール２５０のおもて面５０ａを視ることができる。ファミリーシール２５０が正組付けされていれば、認識窓２６５を通じて視えるのは、規制体２６３の根元２６３ａであるから、作業者はその相違から誤組付けを認識できる。
このように、規制体２６３の離脱を捉えることによって、または、認識窓２６５を通じて視える対象によって、ファミリーシール２５０の誤組付けを認識できる。
【００６６】
以上説明したように、第３実施形態の防水コネクタ２０１によると、誤組付けを、剛性の高い規制体２６３がファミリーシール２５０に突き当たる装着初期及び規制体２６３の装着完了時の、２段階で認識する機会があるので、誤組付けの検知精度が高い。
また、規制体２６３がファミリーシール２５０よりも剛性が高いことに加え、規制体２６３と規制体受容キャビティ２５５の間のクリアランスを拡くすることにより、規制体２６３の位置ずれによる不都合は解消される。
【００６７】
〔第４実施形態〕
次に、本発明の第４実施形態を、図１１及び図１２を参照して説明する。
第４実施形態による防水コネクタ３０１は、ファミリーシール３５０に規制体受容キャビティ３５５が設けられている点で第３実施形態と同じであるが、ファミリーシール３５０が正組み付けされると、規制体受容キャビティ３５５には、アウターハウジング３６０の規制体３６３及びランスハウジング３１０の規制体３１６（第５規制体）が挿入される。以下、第１，第３実施形態との相違点を中心に防水コネクタ３０１を説明する。なお、第１，第３実施形態と同様の構成部分には、第１，第３実施形態と同じ符号を付している。
【００６８】
図１１に示すように、アウターハウジング３６０は、そのおもて面６０ａから所定の高さだけ突出する規制体３６３を備えている。規制体３６３は、ブリッジ３６６を介して根元３６３ａがアウターハウジング３６０と一体的に形成されている。規制体３６３は、第２実施形態の規制体２６３に比べて突出高さが低い。
【００６９】
ファミリーシール３５０は、前述したように、２つの規制体３６３及び規制体３１６が挿入される規制体受容キャビティ３５５を備えている。そのめたに、規制体受容キャビティ３５５はファミリーシール３５０の表裏を貫通して形成される（図１３（ｃ）も参照）。
【００７０】
第３実施形態は、ランスハウジング３１０にも規制体３１６が設けられている。規制体３１６は、ランスハウジング３１０の後面から所定の高さだけ突出する円柱状の突起であり、ランスハウジング３１０と一体的に形成されている。
【００７１】
ファミリーシール３５０が正組み付けされると、規制体３６３と規制体３１６は規制体受容キャビティ３５５の中に挿入される。ここでは、規制体３６３の先端と規制体３１６の先端の間に隙間を設けない例を示しているが、隙間を設けることもできる。
【００７２】
＜正組付けの認識＞
防水コネクタ３０１は、ファミリーシール３５０が正組付けされていれば、認識窓３６５は空隙のままであるので、空の認識窓３６５を視ることにより、作業者は正組付けを認識できる。
【００７３】
＜誤組付けの認識＞
防水コネクタ３０１は、以下説明するように、誤組付けを３段階で認識することができる。
＜ファミリーシール３５０の装着時＞
図１２（ａ）に示すように、ランスハウジング３１０にファミリーシール３５０が誤組付けされそうになると、ランスハウジング３１０の規制体３１６がファミリーシール３５０に突き当たる。したがって、ファミリーシール３５０をランスハウジング３１０に対して押し込もうとしても、当該部分が突き出したままであるから、誤組付けであることを容易に認識できる。
【００７４】
＜アウターハウジング３６０の装着初期＞
仮に図１２（ａ）の状態のままでアウターハウジング３６０を装着させようとしても、図１２（ｂ）に示すように、ファミリーシール３５０は、ランスハウジング３１０の規制体３１６とアウターハウジング３６０の規制体３６３により、表裏が挟み込まれ。したがって、アウターハウジング３６０を強い力で押し込もうとしても、アウターハウジング３６０から受ける反発力が大きくなるため、作業者は誤組付けに気付きやすい。
【００７５】
＜アウターハウジング３６０の装着完了時＞
反発力を無視してアウターハウジング３６０を装着完了の位置まで押し込み続けるものとする。そうすると、規制体３６３をアウターハウジング３６０に支持している薄肉のブリッジ３６６は容易に破断してしまい、図１２（ｃ）に示すように、規制体３６３はアウターハウジング３６０から離脱する。したがって、認識窓３６５は、挿通プレートの表裏を貫通するので、作業者は認識窓３６５を通じてファミリーシール３５０のおもて面５０ａを視ることができる。このように、規制体３６３の離脱を捉えることによって、または、認識窓３６５を通じて視える対象によって、ファミリーシール３５０の誤組付けを認識できる。一方、ファミリーシール３５０が正組付けされていれば、認識窓３６５を通じて視えるのは、規制体３６３の根元３６３ａである。ランスハウジング３１０の規制体３１６は、ファミリーシール３５０を突き破るなどして周囲を押し退けながら前進する。
【００７６】
以上説明したように、第４実施形態の防水コネクタ３０１によると、誤組付けを、ファミリーシール３５０の装着時、規制体３６３及び規制体３１６がファミリーシール３５０に突き当たる装着初期及び規制体２６３の装着完了時の、３段階で認識する機会があるので、誤組付けの検知精度が高い。
また、規制体３１６及び規制体３６３がファミリーシール２５０よりも剛性が高いことに加え、規制体３１６及び規制体３６３の各々と規制体受容キャビティ３５５の間のクリアランスを拡くすることにより、規制体３１６及び規制体３６３の位置ずれによる不都合は解消される。
【００７７】
＜変更例＞
第４実施形態の変更例を、図１３を参照して説明する。
第４実施形態に対する主要な変更部分は、ランスハウジング３１０の規制体３１７である。つまり、規制体３１６（図１１）が単純な円柱形状からなるのに対して、規制体３１７は、周囲に薄肉なリング状の頂壁３１７ｂを残してその先端に窪み３１７ａを備えることで、先端が王冠型をしている。アウターハウジング３６０の規制体３６３は、その先端が窪み３１７ａの中に挿入される。
【００７８】
変更例の規制体３１７は、ファミリーシール３５０が誤組付けされたときに効果を発揮する。つまり、規制体３１７は、ファミリーシール３５０に埋没する際に、頂壁３１７ｂが刃物のように機能して、ファミリーシール３５０を切断しながら進む。頂壁３１７ｂの内部には切断されたファミリーシール３５０の素材が残るので、素材が周囲に逃げる規制体３１６に比べて、アウターハウジング３６０から受ける反発力が大きくなるので、誤組付けを認識しやすい。
【００７９】
〔第５実施形態〕
次に、本発明の第５実施形態を、図１４を参照して説明する。
第５実施形態による防水コネクタ４０１は、ファミリーシール４５０の規制体４５３（第６規制体）を円錐台形にしている点、及び、第１逃げ５４，第２逃げ５５に相当する、規制体４５３に付随する逃げを設けていない点、で第１実施形態と相違するが、それ以外の部分は第１実施形態と同じである。以下、第１実施形態との相違点を中心に防水コネクタ４０１を説明する。なお、第１実施形態と同様の構成部分には、第１実施形態と同じ符号を付している。
【００８０】
規制体４５３は、円錐台形をなしており、その根元４５３ａの径が太い。したがって、例えば、先端４５３ｂと同程度の径の円柱状の規制体であれば倒れてしまうような荷重を受けたとしても、規制体４５３が倒れることはない。また、根元４５３ａの径が太いので、位置ずれを起し難い。
【００８１】
ファミリーシール４５０をランスハウジング１１０に装着する際に、ファミリーシール４５０を誤組付けしそうになったものとする。ところが、規制体４５３は先端４５３ｂから根元４５３ａに向けて径が太くなっているために、剛性が大きい。したがって、誤組付けしたときにファミリーシール４５０を介して規制体４５３から受ける反発力が大きいので、誤組付けであることを容易に認識できる。この後に、アウターハウジング６０を装着させようとしても、同様である。
位置ずれなくファミリーシール４５０が装着されると、規制体４５３は認識窓６３（第６規制体）に挿入される。
【００８２】
以上、本発明の好適な実施形態を説明したが、本発明の主旨を逸脱しない限り、上記実施の形態で挙げた構成を取捨選択したり、他の構成に適宜変更することが可能である。
防水コネクタの構成は任意であり、ファミリーシールを備える防水コネクタに広く適用することができる。
また、以上説明した第１実施形態では、正組付けされるときに、規制体５３を受けるのにアウターハウジング６０を貫通する認識窓６３を設けた。しかし、貫通していなくても、規制体５３を受けることができれば、規制体５３とともに誤組付けを規制することができるので、本発明における規制体受けは貫通を必須とするものではない。
また、以上説明した第１実施形態では、第１逃げ５４と第２逃げ５５の二つの逃げ溝を設けたが、逃げ溝としての機能が発揮されるのであれば、必ずしも二つの逃げ溝を設けるのに限定されない。例えば、第２逃げ５５だけでも逃げ溝としての機能を発揮しうる。
【符号の説明】
【００８３】
１，１０１，２０１．３０１，４０１  防水コネクタ
１０，１１０，３１０  ランスハウジング
１６，１１６，３１６，３１７  規制体
２０    フロントキャビティ
３０    リテーナ
５０，１５０，２５０，３５０，４５０  ファミリーシール
５０ａ，６０ａ  おもて面
５０ｂ，６０ｂ  うら面
５３，１５３，２６３，３６３，４５３  規制体
５３ａ，２６３ａ，３６３ａ，４５３ａ  根元
５４  第１逃げ
５５  第２逃げ
４５３ｂ  先端
５６，２６６，３６６  ブリッジ
１５５，２５５，３５５  規制体受容キャビティ
６０，２６０，３６０  アウターハウジング
６３，２６５，３６５  認識窓
７０  スライダ
３１７ａ  窪み
３１７ｂ  頂壁
【図１】
2015028894.tif 000003
【図２】
2015028894.tif 000004
【図３】
2015028894.tif 000005
【図４】
2015028894.tif 000006
【図５】
2015028894.tif 000007
【図６】
2015028894.tif 000008
【図７】
2015028894.tif 000009
【図８】
2015028894.tif 000010
【図９】
2015028894.tif 000011
【図１０】
2015028894.tif 000012
【図１１】
2015028894.tif 000013
【図１２】
2015028894.tif 000014
【図１３】
2015028894.tif 000015
【図１４】
2015028894.tif 000016